(57)【要約】【課題】確実に脱落を防止することができる吐水装置を提供する。【解決手段】本発明は、水平方向に延設される給水管と、この給水管の下面鉛直方向へ延びるように接続されるシャワーヘッド部を備えた吐水装置であって、前記シャワーヘッド部を前記給水管に対して所定の設置位置に取り付けて固定するための固定手段を有し、 前記給水管は、給水管係ねじ部を備え、前記シャワーヘッド部は、前記シャワーヘッド部が前記給水管に取り付けられる際に前記給水管係ねじ部に対して一旦螺合され、前記シャワーヘッド部が前記設置位置に固定された状態では、前記給水管係ねじ部を通り越しているように位置決めされたシャワーヘッド部係ねじ部を備えていることを特徴とする吐水装置。【選択図】図２
2008086345.tif 000002
【特許請求の範囲】
【請求項１】
水平方向に延設される給水管と、
この給水管の下面鉛直方向へ延びるように接続されるシャワーヘッド部を備えた吐水装置であって、
前記シャワーヘッド部を前記給水管に対して所定の設置位置に取り付けて固定するための固定手段を有し、
前記給水管は、給水管係りねじ部を備え、
前記シャワーヘッド部は、前記シャワーヘッド部が前記給水管に取り付けられる際に前記給水管係りねじ部に対して一旦螺合され、前記シャワーヘッド部が前記設置位置に固定された状態では、前記給水管係りねじ部を通り越しているように位置決めされたシャワーヘッド部係りねじ部を備えていることを特徴とする吐水装置。
【請求項２】
前記固定手段によりシャワーヘッド部が前記給水管へ固定された状態で、前記給水管と前記固定手段との間を水密にするシール手段備えたことを特徴とする請求項１記載の吐水装置
【請求項３】
前記固定手段は、前記給水管の上面または側面で、前記シャワーヘッド部が前記給水管に取り付けられた状態の中心軸より外れた位置に設けられることを特徴とする請求項１または請求項２記載の吐水装置。
【請求項４】
前記固定手段を複数設けたことを特徴とする請求項１〜３の何れか１項に記載の吐水装置。
【発明の詳細な説明】
【技術分野】
【０００１】
本発明は、吐水装置に関し、特に、給水管及びシャワーヘッド部を備えた吐水装置に関する。
【背景技術】
【０００２】
特開２００２−１６７８１９号公報（特許文献１）には、吐水具の取り付け構造が記載されている。この取り付け構造は、水道の給水管に結合される接続用部材と、この接続用部材に固定されるスパウトを備えており、このスパウトに螺合される止めねじを締めて、その先端を接続用部材に押し付けることによりスパウトを固定している。
【０００３】
【特許文献１】特開２００２−１６７８１９号公報
【発明の開示】
【発明が解決しようとする課題】
【０００４】
しかしながら、スパウト等の吐水装置の使用中に止めねじが緩んだり、或いは、吐水装置の設置時に止めねじの取り付けを忘れたりした場合には、水道水圧によって吐水装置が接続用部材から脱落する虞があるという問題がある。
【０００５】
特開２００２−１６７８１９号公報記載の接続構造では、接続用部材に抜け止めピンが形成されており、スパウトを接続用部材に取り付ける際には、スパウトに形成された案内孔と抜け止めピンを整合させて、接続用部材をスパウトの中に受け入れている。この案内孔と抜け止めピンは、スパウトが所定の設置位置に固定された状態では位置が整合しないように構成されているため、止めねじが外れた場合でも抜け止めピンがスパウトに係合して、スパウトの脱落が防止される。
【０００６】
しかしながら、特開２００２−１６７８１９号公報記載の接続構造では、依然として、止めねじが外れた後、案内孔と抜け止めピンの位置が偶発的に整合した場合にスパウトが脱落する虞がある。特に、使用者の頭上に設置されるシャワーヘッド等の吐水装置においては、より高い安全性が求められている。
【０００７】
従って、本発明は、より確実に脱落を防止することができる吐水装置を提供することを目的としている。
【課題を解決するための手段】
【０００８】
上述した課題を解決するために、本発明は、水平方向に延設される給水管と、この給水管の下面鉛直方向へ延びるように接続されるシャワーヘッド部を備えた吐水装置であって、前記シャワーヘッド部を前記給水管に対して所定の設置位置に取り付けて固定するための固定手段を有し、 前記給水管は、給水管係りねじ部を備え、 前記シャワーヘッド部は、前記シャワーヘッド部が前記給水管に取り付けられる際に前記給水管係りねじ部に対して一旦螺合され、前記シャワーヘッド部が前記設置位置に固定された状態では、前記給水管係りねじ部を通り越しているように位置決めされたシャワーヘッド部係りねじ部を備えていることを特徴としている。
【０００９】
このように構成された本発明においては、シャワーヘッド部が、固定手段により、給水管に固定される際には、シャワーヘッド部係りねじ部が、給水管の給水管係りねじ部に一旦螺合される。給水管係りねじ部に対し、シャワーヘッド部係りねじ部をさらに回転させると、シャワーヘッド部係りねじ部は給水管係りねじ部を通り越す。固定手段は、シャワーヘッド部係りねじ部が給水管係りねじ部を通り越した状態の所定の設置位置に固定する。
【００１０】
このように構成された本発明によれば、長年の使用等により、固定手段によるシャワーヘッド部の固定が外れた場合にも、シャワーヘッド部と給水管は、シャワーヘッド部係りねじ部及び給水管係りねじ部により依然として係合された状態にある。このシャワーヘッド部係りねじ部と給水管係りねじ部の係合を解除するには、シャワーヘッド部係りねじ部と給水管係りねじ部の中心軸線を整合させ、所定の方向にシャワーヘッド部を回転させる必要があるので、これらの係合が使用時などに偶発的に解除され、シャワーヘッド部が使用者または、床へ脱落することを防止することができる。
【００１１】
本発明において、好ましくは、前記固定手段によりシャワーヘッド部とが前記給水管へ固定された状態で、前記給水管と固定手段との間を水密にするシール手段を備えたことを特徴としている。
このように構成された本発明においては、固定手段が緩むと、固定手段と給水管との間の水密性が失われるため、固定手段が緩んだことを漏水により知らしめることができる。
【００１２】
本発明において、好ましくは、前記固定手段は、前記給水管の上面または側面で、前記シャワーヘッド部が前記給水管に取り付けられた状態の中心軸より外れた位置に設けられることを特徴としている。
【００１３】
このように構成された本発明によれば、前記固定手段の中心軸と給水管に取り付けられた状態のシャワーヘッド部の中心軸とが同軸上にないため、シャワーヘッド部の回転防止となる。また、給水管に対して垂直方向にかかるシャワーヘッド部の重みと水圧を固定手段全体で受けることにより強固な固定となる。
【００１４】
本発明において、好ましくは、前記固定手段を複数設けたことを特徴としている。
このように構成された本発明においては、給水管に対し、シャワーヘッド部を複数の固定手段により固定するため、より強固なシャワーヘッド部の回転防止と強固な固定とすることができる。
【発明の効果】
【００１５】
本発明の吐水装置によれば、より確実に脱落を防止することができる。
【発明を実施するための最良の形態】
【００１６】
次に、添付図面を参照して、本発明の実施形態を説明する。まず、図１乃至図４を参照して、本発明の吐水装置について説明する。図１は本実施形態の吐水装置を示した外観斜視図であり、図２はシャワーヘッド部の断面Ａ−Ａ図である。図３は吐水装置の断面Ｂ−Ｂ図である。図４はシャワーヘッド部の組立て前の状態を示した斜視図である。
【００１７】
本発明の吐水装置１は、シャワーヘッド部１０への吐止水や温度調節を行う吐水装置本体部２と、この吐水装置本体部２に取り付けられた給水管２０と、給水管２０に固定されたシャワーヘッド部１０と、シャワーヘッド部１０を給水管２０に固定する固定手段であるねじ３０とを有する。さらに、ねじ３０のねじ頭裏面には、給水管２０とねじ３０の間の水密性を確保するためのシール手段であるＯリング４０が配置されている。
【００１８】
シャワーヘッド部１０は、給水管２０に差込み固定される継手１１と、散水板部１２を有し、散水板部１２は、散水板１２ａ、パッキン１２ｂ、裏蓋１２ｃから構成される。継手１１と散水板１２ａは、固定用リング１３と固定用リングねじ１４により、一体的に構成されている。散水板部１２の散水板１２ａとパッキン１２ｂには、多数の散水孔１２ｄが形成されており、パッキン１２ｂを挟み込むようにして、散水板１２ａと裏蓋１２ｃを散水板用ねじ１５により固定している。こうして構成されたパッキン１２ｂの裏面と裏蓋１２ｃの間の間隙に吐出させる湯水を流すための通水路１６が形成される。
【００１９】
また、給水管２０は、吐水装置本体部２に接続される本体接続部２１を備え、内部に湯水の通水を行う通水管２２が配置されている。給水管２０の先端部には、内部に通水管２２との接続を行う、通水管接続部２３とシャワーヘッド部１０の継手１１と接続を行う、シャワーヘッド接続部２４を有する。
【００２０】
給水管２０の先端のシャワーヘッド接続部２４には、シャワーヘッド部１０の継手１１の先端を受け入れるための円筒状の継手受け入れ部２５が形成されている。この継手受け入れ部２５には、給水管係りねじ部である係り雌ねじ山２６が形成されている。また、この係り雌ねじ山２６の先端側には、Ｏリング２７と密着して水密性を確保するための水密円筒部２８が形成されている。
【００２１】
シャワーヘッド部１０の継手１１は、内部に通水路１６が形成された概ね円筒状の部品である。継手１１の先端部には、給水管２０に取り付ける際に通水管接続部２３の係り雌ねじ山２６と一旦螺合されるシャワーヘッド部係りねじ部である係り雄ねじ山１１ａが形成されている。これらの係り雌ねじ山２６及び係り雄ねじ山１１ａの長さは短く、夫々約２山ずつ構成されている。さらに、継手１１には、２本の環状の突起１１ｂが形成されており、これらの間にＯリング１１ｃが位置決めされるように構成されている。
また、継手１１の先端部には、切り欠き１１ｄを有し、この切り欠き１１ｄの長さは、Ｏリング１１ｃを位置決めするための突起１１ｂより上の高さまでで設定されている。この切り欠き１１ｄにより、給水管２０から流れてきた湯水を散水板部１２へ通水させることができるようになっている。
また、ねじ３０は、給水管２０上面部の穴加工部２９を通して、シャワーヘッド部１０の継手１１の雌ねじ部１１ｅにねじ込まれることにより、給水管２０とシャワーヘッド部１０が接続、固定される。尚、穴加工部２９、雌ねじ部１１ｅはシャワーヘッド部１０が給水管２０に接続された状態での中心軸、即ち、係り雌ねじ部２６の中心軸より外れた位置に設けられている。
【００２２】
次に、図５乃至図７を参照して、本発明の吐水装置１におけるシャワーヘッド部１０の取り付け手順を説明する。
【００２３】
まず、吐水装置本体１に取り付けられた給水管２０の先端のシャワーヘッド接続部２４の継手受け入れ部２５が、シャワーヘッド部１０の継手１１を受け入れるように、シャワーヘッド部１０を配置する。（図５）
継手１１の先端を給水管２０の継手受け入れ部２５に挿入すると、継手１１先端の係り雄ねじ山１１ａと、継手受け入れ部２５奥部の係り雌ねじ山２６が接触する。この状態で、係り雄ねじ山１１ａと係り雌ねじ山２６の中心軸線を整合させ、シャワーヘッド部１０を回転させることにより、係り雄ねじ山１１ａと係り雌ねじ山２６が螺合される。（図６）係り雄ねじ山１１ａ及び係り雌ねじ山２６は約２山ずつ形成されているため、シャワーヘッド部１０を給水管２０に対して約２回転させると、シャワーヘッド部１０の継手１１の係り雄ねじ山１１ａは、図に示すように、継手受け入れ部２５の係り雌ねじ山２６を通り越し、両者の螺合状態は解除される。この状態では、シャワーヘッド部１０を回転させずに、シャワーヘッド部１０を単に給水管２０上面側の方向に押し付けるだけで、継手１１は継手受け入れ部２５の中にさらに深く受け入れられる。
【００２４】
この時、継手１１の外周に嵌め込まれたＯリング１１ｃは、継手受け入れ部２５の水密円筒部２８の中に押し込まれる。これにより、継手１１とシャワーヘッド部１０の間の水密性が確保される。さらに、シャワーヘッド部１０の継手１１上面が給水管２０の継手受け入れ部２５の上部内壁面に当接するまで押し込む。この状態で、シャワーヘッド部１０の散水板部１２の角度を調整し、最後にねじ３０を締め付ける。ねじ３０を締め付けることにより、シャワーヘッド部１０が給水管２０に固定される。（図７）
【００２５】
また、本実施形態によるシャワーヘッド部１０の使用状態においては、給水管２０内部の通水管２２から供給された湯水は、給水管２０先端のシャワーヘッド接続部２４の通水路１７を通って、散水板部１２内のパッキン１２ｂの散水孔１２ｄから吐出される。この際、シャワーヘッド部１０は、給水圧により、シャワーヘッド部１０を給水管２０先端のシャワーヘッド接続部２４から引き抜く方向の力や、シャワーヘッド部１０を振動させる力を受ける。通常の使用状態においては、シャワーヘッド部１０はねじ３０で固定されているため、このような給水圧を受けてもシャワーヘッド部１０が給水管２０先端のシャワーヘッド接続部２４から抜けることはない。
また、万一、ねじ３０の締め付け力不足や、締め忘れにより、シャワーヘッド部１０が給水管２０先端のシャワーヘッド接続部２４から抜けたとしても、シャワーヘッド部１０の取り付け時に一旦螺合され、通り越した状態にあるシャワーヘッド部１０の継手１１の係り雄ねじ山１１ａと給水管２０先端の係り雌ねじ山２６が係合するので、シャワーヘッド部１０の給水管２０先端のシャワーヘッド接続部２４からの脱落が防止される。
即ち、シャワーヘッド部１０を給水管２０先端のシャワーヘッド接続部２４から抜き取るには、シャワーヘッド部１０と給水管２０先端のシャワーヘッド接続部２４を整合させ、係り雄ねじ山１１ａと係り雌ねじ山２６を螺合させた状態で約２回転させる必要があるため、偶発的にシャワーヘッド部１０が給水管２０から抜け落ちることはない。
【００２６】
また、ねじ３０が、締め付け力不足や、締め忘れにより緩むと、Ｏリング４０による水密性が失われる。これにより、湯水が給水管２０上面部の穴加工部２９とねじ３０の間から外部に漏れ、ねじ３０が所定の設置位置から外れていることが、使用者によって認識される。
【００２７】
本発明の吐水装置１によれば、長年の使用等によりねじ３０が緩んだ場合にも、シャワーヘッド部１０の継手１１の係り雄ねじ山１１ａと、給水管２０先端のシャワーヘッド接続部２４の係り雌ねじ山２６は依然として係合された状態にあるので、シャワーヘッド部１０の脱落を、より確実に防止することができる。
【００２８】
尚、本実施形態では固定手段としてのねじ３０を給水管２０の上面に２本使用する場合について説明したが、図８に示すようにねじ３０は１本でもよく、また、側面２０ａ，２０ｂに設けても構わない。また、使用するねじ３０は３本であっても構わない。
また、本実施形態の固定手段であるねじ３０の中心軸と、シャワーヘッド部１０が給水管２０に取り付けられた状態の中心軸とが同軸上にないため、シャワーヘッド部１０の回転防止となる。
【図面の簡単な説明】
【００２９】
【図１】本実施形態の吐水装置を示した外観斜視図
【図２】シャワーヘッド部の断面Ａ−Ａ図
【図３】吐水装置の断面Ｂ−Ｂ図
【図４】シャワーヘッド部の組立て前の状態を示した斜視図
【図５】シャワーヘッド部を給水管に挿入した状態を示した断面斜視図
【図６】シャワーヘッド部係りねじ部と給水管係りねじ部が螺合した状態を示した断面斜視図
【図７】シャワーヘッド部と給水管を固定手段で固定した状態を示した断面斜視図
【図８】他の実施形態を示した外観斜視図
【符号の説明】
【００３０】
１…吐水装置
２…吐水装置本体部
１０…シャワーヘッド部
１１…継手
１１ａ…係雄ねじ山（シャワーヘッド部係ねじ部）
１１ｂ…突起
１１ｃ…Ｏリング
１１ｄ…切り欠き
１１ｅ…雌ねじ
１２…散水板部
１２ａ…散水板
１２ｂ…パッキン
１２ｃ…裏蓋
１２ｄ…散水孔
１３…固定用リング
１４…固定用リングねじ
１５…散水板部ねじ
１６，１７…通水路
２０…給水管
２０ａ，２０ｂ…給水管側面
２１…本体接続部
２２…通水管
２３…通水管接続部
２４…シャワーヘッド接続部
２５…継手受入れ部
２６…係雌ねじ山（給水管係ねじ部）
２７…Ｏリング
２８…水密円筒部
２９…穴加工部
３０…ねじ（固定手段）
４０…Ｏリング（シール手段）
【図１】
2008086345.tif 000003
【図２】
2008086345.tif 000004
【図３】
2008086345.tif 000005
【図４】
2008086345.tif 000006
【図５】
2008086345.tif 000007
【図６】
2008086345.tif 000008
【図７】
2008086345.tif 000009
【図８】
2008086345.tif 000010